(57)【要約】      （修正有）【課題】整髪具に付着した油分汚れの除去に適した整髪具容器及び容器入り整髪具を提供する。【解決手段】複数のブラシピン、複数のブラシ毛束又は複数の櫛歯が設けられた髪梳かし部を有する整髪具２０を収容する容器であって、整髪具の全体を収容し得る収容空間を有し、収容空間内に整髪具と共に洗剤溶液を収容することにより、整髪具の髪梳かし部を洗剤溶液に浸した状態に保つように構成した。整髪具を出し入れ可能な開口部を有する容器本体と、開口部を開閉自在に塞ぐ蓋と、容器本体と蓋との間を液密状態にシールするシール部３７と、を有する。【選択図】図１
0003221931.tif 000002
【実用新案登録請求の範囲】
【請求項１】
複数のブラシピン、複数のブラシ毛束又は複数の櫛歯が設けられた髪梳かし部を有する整髪具を収容する容器であって、
前記整髪具の全体を収容し得る収容空間を有し、当該収容空間内に前記整髪具と共に洗剤溶液を収容することにより、前記整髪具の前記髪梳かし部を当該洗剤溶液に浸した状態に保つように構成したことを特徴とする整髪具容器。
【請求項２】
前記整髪具を出し入れ可能な開口部を有する容器本体と、
前記開口部を開閉自在に塞ぐ蓋と、
前記容器本体と前記蓋との間を液密状態にシールするシール部と、を有することを特徴とする請求項１記載の整髪具容器。
【請求項３】
前記容器本体と前記蓋とを互いに固定するロック部を有することを特徴とする請求項２記載の整髪具容器。
【請求項４】
前記容器本体を傾斜させて支持する支持部を有することを特徴とする請求項２又は３記載の整髪具容器。
【請求項５】
請求項１乃至４のいずれか一項に記載の整髪具容器に前記整髪具を収容して構成される容器入り整髪具。
【考案の詳細な説明】
【技術分野】
【０００１】
本考案は、整髪ブラシ、整髪櫛など整髪具を収容し得る整髪具容器及び整髪具容器に整髪具を収容した容器入り整髪具に関する。
【背景技術】
【０００２】
一般に、整髪ブラシは、髪を梳かすための複数のブラシピン又はブラシ毛束が設けられた髪梳かし部を有する。整髪ブラシの髪梳かし部には、頭皮や皮脂、整髪剤など油分を含む汚れが付着しやすい。
【０００３】
従来、整髪ブラシの髪梳かし部に付着した汚れを除去するために、髪梳かし部にシート体を被せて、ブラシピンがシート体を貫通した状態にしておいてからブラッシングし、ブラッシング後にシート体を取り外すことにより、髪梳かし部に付着した汚れをシート体と一緒に取り除くことが行われている（特許文献１参照）。
【先行技術文献】
【特許文献】
【０００４】
【特許文献１】特開平１１−８９６２５号公報
【考案の概要】
【考案が解決しようとする課題】
【０００５】
特許文献１のシート体を用いることにより、髪梳かし部に付着した毛髪や頭皮など比較的大きい汚れを除去することは可能である。しかし、髪梳かし部のブラシピンや台座部に付着した油分汚れを除去することはできない。
【０００６】
また、髪梳かし部がブラシ毛束を有する場合、髪梳かし部にはより多くの油分汚れが付着しやすく且つ残存しやすい。しかし、特許文献１のシート体は、ブラシ毛束には使用することができない。ブラシ毛束は、ブラシピンよりも細く柔らかい多数の毛からなり、一本一本の毛がシート体を貫通した状態にすることが困難であるためである。
【０００７】
本考案が解決しようとする課題は、整髪ブラシ、整髪櫛など整髪具に付着した油分汚れの除去に適した整髪具容器及び当該整髪具容器に整髪具を収容した容器入り整髪具を提供することにある。
【課題を解決するための手段】
【０００８】
上記課題を解決するために、請求項１記載の考案に係る整髪具容器は、複数のブラシピン、複数のブラシ毛束又は複数の櫛歯が設けられた髪梳かし部を有する整髪具を収容する容器であって、前記整髪具の全体を収容し得る収容空間を有し、当該収容空間内に前記整髪具と共に洗剤溶液を収容することにより、前記整髪具の少なくとも前記髪梳かし部を当該洗剤溶液に浸した状態に保ち得るように構成したこと特徴とするものである。
【０００９】
上記構成によれば、整髪具を洗剤溶液と共に整髪具容器に収容することで、整髪具の少なくとも髪梳かし部を洗剤溶液に浸した状態にすることができる。髪梳かし部を洗剤溶液に浸したすことで、髪梳かし部に付着している油分汚れを洗剤溶液の界面活性作用により分離させることが可能になる。
【００１０】
また、請求項２記載の考案は、請求項１の構成に加えて、前記整髪具を出し入れ可能な開口部を有する容器本体と、前記開口部を開閉自在に塞ぐ蓋と、前記容器本体と前記蓋との間を液密状態にシールするシール部と、を有するものである。
【００１１】
上記構成によれば、整髪具を洗剤溶液と共に容器本体に入れた後、容器本体の開口部を蓋で塞ぎ、容器本体と蓋との間をシール部で液密状態にシールすることにより、整髪具を洗剤溶液と共に本発明の整髪具容器に密閉して収容するとともに、整髪具の少なくとも髪梳かし部を洗剤溶液に浸した状態にすることができる。
【００１２】
また、請求項３記載の考案は、請求項２の構成に加えて、前記容器本体と前記蓋とを互いに固定するロック部を有するものである。この構成によれば、容器本体と蓋とをロック部により互いに固定しておくことができる。
【００１３】
また、請求項４記載の考案は、請求項２又は３の構成に加えて、前記容器本体を傾斜させて支持する支持部を有するものである。この構成によれば、容器本体を支持部により傾斜させて支持したときに低くなる方に髪梳かし部が配置される。
【００１４】
また、請求項５記載の考案に係る容器入り整髪具は、請求項１乃至４のいずれか一項に記載の整髪具容器に前記整髪具を収容して構成されることを特徴とするものである。
【考案の効果】
【００１５】
請求項１記載の考案によれば、整髪具を洗剤溶液と共に整髪具容器に収容した状態で、油分汚れが十分に分離するのに必要な時間以上の時間の経過を待つことにより、整髪具の少なくとも髪梳かし部に付着していた油分汚れを除去することができる。その結果、整髪ブラシ、整髪櫛など整髪具に付着した油分汚れの除去に適した整髪具容器及び当該整髪具容器に整髪具を収容した容器入り整髪具を提供することができる。
請求項２記載の考案によれば、整髪具に付着している油分汚れが十分に分離するのに必要な時間以上の時間が経過した後、蓋を外して容器本体の開口部を開放することにより、容器本体から整髪具を取り出すとともに使用後の洗剤溶液を排出することができる。
【００１６】
請求項３記載の考案によれば、ので、洗剤溶液による整髪具の洗浄中に、不用意に蓋が外れて容器本体の開口部から洗剤溶液が流出しまうのを防止できる。
請求項４記載の考案によれば、ようにして、収容空間内に整髪具と共に洗剤溶液を収容することにより、比較的少量の洗剤溶液で、整髪具の少なくとも髪梳かし部を洗剤溶液に浸した状態にすることができる。
請求項５記載の考案によれば、上記構成によれば、整髪具を本考案に係る整髪具容器に収容した容器入り整髪具の状態で販売することができる。この容器入り整髪具の購入者は、整髪具を整髪具容器に収容して保管でき、整髪時には整髪具を整髪具容器から取り出して使用できる。そして、整髪具を洗剤溶液と共に整髪具容器に収容することで、整髪具の少なくとも髪梳かし部を洗剤溶液に浸した状態にすることができる。髪梳かし部を洗剤溶液に浸した状態にすることで、髪梳かし部に付着している油分汚れを洗剤溶液の界面活性作用により分離させることが可能になる。したがって、整髪具を洗剤溶液と共に整髪具容器に収容した状態で、油分汚れが十分に分離するのに必要な時間以上の時間の経過を待つことにより、整髪具の少なくとも髪梳かし部に付着していた油分汚れを除去することができる。
【図面の簡単な説明】
【００１７】
【図１】本考案に係る整髪具容器の整髪具が容器入り整髪具として構成された場合の一実施形態を示す斜視図である。
【図２】図１に示す本考案の一実施形態に係る容器入り整髪具の断面図である。
【図３】（Ａ）は、図１に示す容器入り整髪具が備える整髪具容器の蓋の断面図である。（Ｂ）は、図１に示す容器入り整髪具が備える整髪具容器の容器本体の断面図である。
【図４】（Ａ）は、図１に示す容器入り整髪具が備えるブラシの側面図である。（Ｂ）は、当該ブラシの正面図である。
【図５】（Ａ）は、図１に示す容器入り整髪具により整髪具を洗浄する場合の一工程を示す断面図である。（B）は、（Ａ）の後の一工程を示す断面図である。（Ｃ）は、（Ｂ）の後の一工程を示す断面図である。
【図６】（Ａ）は、本考案の他の一実施形態に係る容器入り整髪具のロック解除状態を示す断面図である。（Ｂ）は、（Ａ）に示す容器入り整髪具のロック状態を示す断面図である。
【図７】図６に示す容器入り整髪具による整髪具を洗浄する場合の一工程を示す断面図である。
【図８】本考案の更に他の一実施形態の容器入り整髪具の断面図である。
【図９】本考案の更に他の一実施形態の容器入り整髪具の斜視図である。
【図１０】本考案の更に他の一実施形態の容器入り整髪具の平置き状態の断面図である。
【図１１】図１０に示す容器入り整髪具の傾斜設置状態の断面図である。
【図１２】図１０に示す状態の容器入り整髪具による整髪具を洗浄する場合の一工程を示す断面図である。
【図１３】図１１に示す状態の容器入り整髪具による整髪具を洗浄する場合の一工程を示す断面図である。
【考案を実施するための形態】
【００１８】
以下、本考案の整髪具容器及び容器入り整髪具について説明する。
【００１９】
まず、図１乃至図４を参照して、一実施形態に係る容器入り整髪具の構成について説明する。
図１及び図２に示すように、一実施形態の容器入り整髪具１０は、整髪具の一種である整髪ブラシ２０と、整髪ブラシ２０を収容した本考案に係る整髪具容器３０と、を有して構成される。整髪具容器３０は、透明または半透明のプラスチック製容器である。
【００２０】
図１乃至図３に示すように、整髪具容器３０は、容器本体３１と蓋３２とを有する。容器本体３１は、全体長方形箱状に形成され、略長方形の底板部３３と、底板部３３の周縁から起立した側壁部３４と、を有する。側壁部３４の上端は、整髪ブラシ２０を出し入れ可能な開口部３５（図３）をなしている。
【００２１】
図４（Ａ）、（Ｂ）に示すように、整髪ブラシ２０は、ブラシ本体２１と、ブラシ本体２１の片側に設けられた髪梳かし部２２と、を有する。ブラシ本体２１は、これを手で持つための棒状の取手部２３と、取手部２３と一体に形成されたオーバル状の基板部２４と、を有する。髪梳かし部２２は、髪を梳かすための複数のブラシピン２６と、ブラシピン２６を支持する支持部材２７と、を有する。支持部材２７は、基板部２４の片面に固定されている。ブラシピン２６は、支持部材２７に植え込んだ状態で並べて設けられている。
【００２２】
図２及び図３に示すように、容器本体３１の内部は、整髪ブラシ２０を収容し得る収容空間Ｓを構成する。収容空間Ｓの長手方向の寸法Ｄ１は、整髪ブラシ２０の長手方向の寸法Ｌ１よりも若干余裕を持たせて大きく形成されている。
収容空間Ｓの幅方向の寸法Ｄ２（図１）は、整髪ブラシ２０の基板部２４の幅方向の寸法Ｌ２（図４（Ｂ））よりも若干余裕を持たせて大きく形成されている。収容空間Ｓの深さ方向の寸法Ｄ３は、整髪ブラシ２０の髪梳かし部２２と基板部２４とからなる部分の厚さ寸法Ｌ３よりも十分余裕を持たせて大きく形成されている。
【００２３】
図１乃至図３に示すように、蓋３２は、容器本体３１の平面視形状と略等しい略長方形の天板部３６と、天板部３６の全周を縁取るシール部３７と、を有している。図２及び図３に示すように、シール部３７は、容器本体３１の側壁部３４の上縁３８に嵌合する嵌合溝３９を有している。嵌合溝３９は、天板部３６の全周に亘って形成されており、図２に示すように、蓋３２を容器本体３１に被せて、側壁部３４の上縁３８を全周に亘って溝３９に嵌め合わせることにより、容器本体３１と蓋３２との間を液密状態にシールできるようになっている。
【００２４】
上記構成によれば、整髪ブラシ２０を、整髪具容器３０に収容した状態で容器入り整髪具１０を商品として販売することができる。この容器入り整髪具１０の購入者は、整髪ブラシ２０を整髪具容器３０に収容して保管でき、整髪時には整髪ブラシ２０を整髪具容器３０から取り出して使用できる。そして、整髪ブラシ２０を洗浄する際には、整髪具容器３０を洗浄容器として使用することができる。
【００２５】
つぎに、図５を参照して、整髪具容器３０を用いて整髪ブラシ２０の洗浄する場合について説明する。
【００２６】
図５（Ａ）に示すように、髪梳かし部２２を上向きにして整髪ブラシ２０を容器本体３１に収容する。つぎに、図５（Ｂ）に示すように、洗剤溶液Ｗをブラシピン２６の先端が浸るまで容器本体３１に注ぎ込む。その後、図５（Ｃ）に示すように、容器本体３１の開口部３５を蓋３２で塞ぎ、容器本体３１と蓋３２との間をシール部３７で液密状態にシールする。これにより整髪ブラシ２０は、洗剤溶液Ｗと共に整髪具容器３０に密閉して収容され、整髪ブラシ２０が洗剤溶液Ｗに浸された状態になる。洗剤溶液Ｗとして、シャンプーやせっけんを湯又は水に溶かした溶液を使用することができる。整髪ブラシ２０が洗剤溶液Ｗに浸されることで、整髪ブラシ２０に付着している油分汚れを洗剤溶液Wの界面活性作用により分離させることが可能になる。
【００２７】
図５（Ｃ）に示す状態で、整髪ブラシ２０から油分汚れが十分に分離するのに必要な時間以上の時間が経過するまで待つ。これにより、整髪ブラシ２０に付着していた油分汚れが十分に分離し、洗剤溶液Ｗに溶け込む。油分汚れが十分に分離するのに必要な時間（以下、「所要時間」と記す）は、使用する洗剤溶液Ｗにもよるが、例えば６時間乃至８時間程度である。
【００２８】
所要時間が経過した後、蓋３２を外して容器本体３１の開口部３５を開放し、容器本体３１から整髪ブラシ２０を取り出すとともに使用後の洗剤溶液Ｗを排出する。そして、整髪ブラシ２０及び整髪具容器３０を水洗いし、油分汚れを含む洗剤成分Ｗを洗い流した後、乾燥させる。これにより、整髪ブラシ２０及び整髪具容器３０を清潔な状態に戻すことができる。そして、整髪ブラシ２０を整髪具容器３０に収容することにより、次回の使用時まで整髪ブラシ２０を清潔に保つことができる。
【００２９】
図６及び図７には、本考案に係る容器入り整髪具の他の一実施形態が示されている。図６及び図７に示す容器入り整髪具８０は、図１乃至図４に示した構成に加えて、容器本体３１と蓋３２とを互いに固定するロック部５０を有する。この例では、ロック部５０は、整髪具容器３０の長手方向両端部にそれぞれ設けられている。ロック部５０は、容器本体３１に被せた蓋３２の外面に係合及び離脱し得る係合部材５１を備えている。係合部材５１は、ヒンジ機構５２を介して容器本体３１に回動自在に連結されており、係合部材５１を回動させて蓋３２の端部外面に係合又は離脱させることができるようになっている。
【００３０】
この構成によれば、図６（Ａ）に示すように、蓋３２に対する係合部材５１の係合を解除することによりロック解除状態すなわち、容器本体３１から蓋３２を外せる状態にすることができる。一方、図６（Ｂ）に示すように、係合部材５１を蓋３２に係合させておくことによりロック状態すなわち、容器本体３１から蓋３２が外れない状態にすることができる。したがって、整髪ブラシ２０を洗浄する際には、図７に示すように、整髪ブラシ２０及び洗浄溶液Ｗを収容した整髪具容器３０の蓋３２に係合部材５１を係合させて、ロック状態にしておくことにより、洗剤溶液Ｗによる整髪ブラシ２０の洗浄中に、不用意に蓋３２が外れて容器本体３１の開口部３５から洗剤溶液Ｗが流出するのを防止できる。
【００３１】
図８には、本考案に係る容器入り整髪具の更に他の一実施形態が示されている。図８に示す容器入り整髪具６０は、整髪具の一種である整髪ブラシ７０と、整髪ブラシ７０を収容する整髪具容器３０と、を有している。整髪ブラシ７０の髪梳かし部４２は、複数のブラシ毛束７１を有している。ブラシ毛束７１は、ブラシピンよりも細く柔らかい多数の毛７２からなる。その他の構成は、図２に示す容器入り整髪具１０の構成と同じである。この構成によれば、図５（Ｃ）と同様に、整髪ブラシ７０を洗剤溶液Ｗと共に整髪具容器３０に収容して所要時間放置することにより、整髪ブラシ７０に付着している油分汚れを洗剤溶液Ｗの界面活性作用により分離させることができる。これにより、整髪ブラシ７０に付着している油汚れを除去することができる。ブラシ毛束７１に付着した油汚れは、ブラシピン２６に付着した油汚れよりも除去し難い傾向があるが、洗剤溶液Ｗの界面活性作用により効果的に除去することができる。
【００３２】
図９には、本考案に係る容器入り整髪具の更に他の一実施形態が示されている。図９に示す容器入り整髪具８０は、整髪具の一種である整髪櫛９０と、整髪櫛９０を収容する整髪具容器３０と、を有している。整髪櫛９０は、取手部９１と一体に形成された髪梳かし部９２を有する。髪梳かし部９２には、複数の櫛歯９３が設けられている。その他の構成は、図１に示す容器入り整髪具１０の構成と同じである。この構成によれば、図５（Ｃ）と同様に、整髪櫛９０を洗剤溶液Ｗと共に整髪具容器３０に収容して所要時間放置することにより、整髪櫛９０に付着している油分汚れを洗剤溶液Ｗの界面活性作用により分離させることができる。これにより、整髪櫛９０に付着している油汚れを除去することができる。
【００３３】
図１０及び図１１には、本考案に係る容器入り整髪具の更に他の一実施形態が示されている。この容器入り整髪具１００は、容器本体３１を傾斜させて支持するための支持部１１０を有している。支持部１１０は、容器本体３１の底板部３３の外側に設けられている。支持部１１０は、底板部３３に対し回動自在に設けられた支持脚１１１を有している。支持脚１１１は、その一端部１１２がヒンジ機構１１５を介して底板部３３に回動自在に連結されており、他端部１１３に着座面１１４を有している。底板部３３には、支持脚１１１の回動範囲を規制する規制部１１６が設けられており、支持脚１１１は、図１０に示す最も閉じた状態（閉脚状態）から、図１１に示す最も開いた状態（最大開脚状態）の範囲で回動し得るようになっている。その他の構成は、図６に示す容器入り整髪具４０の構成と同じである。
【００３４】
この構成によれば、図１０に示すように、支持脚１１１を閉脚状態にすることで、整髪具容器３０を載置面Ｍに平置き姿勢で載置することができ、図１１に示すように、支持脚１１１を最大開脚状態にすることで、整髪具容器３０を傾斜させた姿勢で載置面Ｍに載置することができる。
【００３５】
したがって、図１２に示すように、支持脚１１１を閉脚状態にして整髪ブラシ２０を洗浄する場合には、全てのブラシピン２６の先端を浸すことができる量の洗剤溶液Ｗを収容空間Ｓに入れておくことにより、髪梳かし部２２を含めて整髪ブラシ２０の全体を洗剤溶液Ｗに浸すことができる。
【００３６】
また、図１３に示すように、支持脚１１１を最大開脚状態にして整髪ブラシ２０を洗浄する場合には、整髪具容器３０を傾斜させた姿勢で載置面Ｍに載置したときに低くなる方に髪梳かし部２２が配置されるようにして容器本体３１内に整髪ブラシ２０を収容するとともに、整髪具容器３０の傾斜を考慮して全てのブラシピン２６の先端を浸すことができる量の洗剤溶液Ｗを容器本体３１内に入れておくことにより、比較的少量の洗剤溶液Ｗで、少なくとも髪梳かし部２２を洗剤溶液Ｗに浸した状態にすることができる。
【００３７】
なお、本考案は上記実施形態に限定されない。例えば、上記実施形態では、略直方体形状の整髪具容器を備えた容器入り整髪具について説明したが、整髪具容器の形状は任意である。整髪具容器の内部空間の形状及び寸法を、整髪具の形状及び寸法により近づけることにより、より少量の洗剤溶液で整髪具を洗浄することが可能になる。
【００３８】
また、上記実施形態では、整髪具容器が透明または半透明のプラスチック製容器であるとしたが、不透明のプラスチック製容器であってもよく、アルミ製など金属製の容器であってもよい。
【００３９】
また、上記実施形態では、シール部を蓋に設けているが、シール部を容器本体に設けてもよい。
【００４０】
また、上記実施形態では、容器本体と蓋とが直接接触することにより両者の間を液密にシールするシール部の構成を例示したが、容器本体と蓋との間にＯリングなどシール部材を介在させて液密性を確保するシール部の構成を採用してもよい。
【００４１】
また、本考案の整髪具容器は、容器入り整髪具を構成する物品としてだけでなく、整髪具容器それ自体を単独の商品として市場に流通させることが可能である。
【符号の説明】
【００４２】
１０  容器入り整髪具
２０  整髪ブラシ（整髪具）
２２  髪梳かし部
２６  ブラシピン
３０  整髪具容器
３１  容器本体
３２  蓋
３５  開口部
３７  シール部
４２  髪梳かし部
５０  ロック部
６０  容器入り整髪具
７０  整髪ブラシ（整髪具）
７１  ブラシ毛束
８０  容器入り整髪具
９０  整髪櫛（整髪具）
９２  髪梳かし部
９３  櫛歯
１００  容器入り整髪具
１１０  支持部
Ｓ  収容空間
Ｗ  洗剤溶液
【図１】
0003221931.tif 000003
【図２】
0003221931.tif 000004
【図３】
0003221931.tif 000005
【図４】
0003221931.tif 000006
【図５】
0003221931.tif 000007
【図６】
0003221931.tif 000008
【図７】
0003221931.tif 000009
【図８】
0003221931.tif 000010
【図９】
0003221931.tif 000011
【図１０】
0003221931.tif 000012
【図１１】
0003221931.tif 000013
【図１２】
0003221931.tif 000014
【図１３】
0003221931.tif 000015